(57)【要約】【課題】  毛髪挟持部材に弾性条部材を取り付けることにより、効果的な施術を施すと共に毛髪を傷めたりすることを抑制させ、その上で、多元素鉱物粉状体によるマイナスイオン及び電磁波（微弱エネルギ−）の作用を利用することにより、潤い（なめらかな感触）、指どおりの良さ、適度なまとまり感、光沢といった毛髪本来の質感を向上させると共に毛髪をケアさせることができるヘアーアイロンの提供。【解決手段】  閉開可能に枢着された１対の腕体１，２の先端部に、加熱手段１１，２１を備えた毛髪挟持部材１０，２０が前記腕体の閉開に伴って近接離反するように設けられ、毛髪挟持部材に腕体の延在方向に延長した弾性条部材１５，２５が、その上面を毛髪挟持面１６，２６から突出させる状態に取り付けられ、弾性条部材に多元素鉱物を粉砕して形成した多元素鉱物粉状体が含まれている。【選択図】  図１
2010233830.tif 000002
【特許請求の範囲】
【請求項１】
閉開可能に枢着された１対の腕体（１），（２）の先端部に、加熱手段（１１），（２１）を備えた毛髪挟持部材（１０），（２０）が前記腕体（１），（２）の閉開に伴って近接離反するように設けられ、
前記毛髪挟持部材（１０），（２０）に腕体（１），（２）の延在方向に延長した弾性条部材（１５），（２５）が、その上面を毛髪挟持面（１６），（２６）から突出させる状態に取り付けられ、
前記弾性条部材（１５），（２５）に多元素鉱物を粉砕して形成した多元素鉱物粉状体が含まれていることを特徴とするヘアーアイロン。
【請求項２】
前記多元素鉱物粉状体に、遠赤外線放射材料を粉砕して形成した遠赤外線放射粉状体が混合されている請求項１記載のヘアーアイロン。
【発明の詳細な説明】
【技術分野】
【０００１】
本発明は、理容店や美容院等の業務用品として、また、家庭用市販品として供され、毛髪をストレートに延す際、或いは毛髪にカールを付ける際に使用するヘアーアイロンに関する。
【背景技術】
【０００２】
ヘアーアイロンは、閉開可能に枢着された１対の腕体の先端部に、加熱手段を備えた毛髪挟持部材が前記腕体の閉開に伴って近接離反するように形成されたもので、この毛髪挟持部材の間で毛髪を挟んで加熱することにより、毛髪をストレートに延したり、毛髪にカールを付けたりするものである。
この場合、毛髪挟持部材が金属材やセラミック等の硬質材料によって形成されているため、毛髪挟持部材で毛髪を挟む際に隙間が生じて効果的な施術を施すことができなかったり、毛髪挟持部材による直接加熱によって毛髪を傷めたりすることがあるという問題があった。
【０００３】
そこで従来、毛髪挟持部材に腕体の延在方向に延長した弾性条部材（緩衝部材）を、その上面が毛髪挟持面の上面から突出する状態に取り付けたヘアーアイロンが提案されている（特許文献１参照）。
この従来のヘアーアイロンは、弾性条部材の弾性によって毛髪を隙間なく挟持させることができるため、効果的に施術を施すことができるし、毛髪挟持部材による直接加熱によって毛髪を傷めたりすることも抑制できるという利点がある。
【先行技術文献】
【特許文献】
【０００４】
【特許文献１】特許第４１５２９７４号公報
【発明の概要】
【発明が解決しようとする課題】
【０００５】
しかしながら、従来のように毛髪挟持部材に弾性条部材を取り付けたとしても、毛髪自体に潤い（なめらかな感触）を与えたり、指どおりの良さを向上させたり、毛束単位で適度なまとまり感を与えたり、光沢を与えたり、といった毛髪本来の質感向上や毛髪ケアを得ることが出来ないという問題があった。
【０００６】
本発明は、上述のような従来の問題を解決するためになされたもので、毛髪挟持部材に弾性条部材を取り付けることにより、効果的な施術を施すと共に毛髪を傷めたりすることを抑制させ、その上で、多元素鉱物粉状体によるマイナスイオン及び電磁波（微弱エネルギー）の作用を利用することにより、潤い（なめらかな感触）、指どおりの良さ、適度なまとまり感、光沢といった毛髪本来の質感を向上させると共に毛髪をケアさせることができるヘアーアイロンを提供することを課題としている。
【課題を解決するための手段】
【０００７】
上記の課題を解決するために、本発明（請求項１）のヘアーアイロンは、
閉開可能に枢着された１対の腕体（１），（２）の先端部に、加熱手段（１１），（２１）を備えた毛髪挟持部材（１０），（２０）が前記腕体（１），（２）の閉開に伴って近接離反するように設けられ、
前記毛髪挟持部材（１０），（２０）に腕体（１），（２）の延在方向に延長した弾性条部材（１５），（２５）が、その上面を毛髪挟持面（１６），（２６）から突出させる状態に取り付けられ、
前記弾性条部材（１５），（２５）に多元素鉱物を粉砕して形成した多元素鉱物粉状体が含まれている構成とした。
【０００８】
また、本発明（請求項２）のヘアーアイロンは、
請求項１記載のヘアーアイロンにおいて、前記多元素鉱物粉状体に、遠赤外線放射材料を粉砕して形成した遠赤外線放射粉状体が混合されている構成とした。
【発明の効果】
【０００９】
本発明（請求項１）のヘアーアイロンは、毛髪挟持部材に弾性条部材が取り付けられ、この弾性条部材に多元素鉱物を粉砕して形成した多元素鉱物粉状体が含まれている構成に特徴がある。
【００１０】
このように毛髪挟持部材に弾性条部材が取り付けることで、この弾性条部材の弾性によって毛髪を隙間なく挟持させることができるため、効果的に施術を施すことができるし、毛髪挟持部材による直接加熱よって毛髪を傷めたりすることも抑制できる。
【００１１】
多元素鉱物（多元素鉱物粉状体）はマイナスイオン及び電磁波（微弱エネルギー）を発生させるもので、多元素鉱物（多元素鉱物粉状体）から放射される４〜１４μｍの波長の電磁波（微弱エネルギ−）には、原子の核の周囲を電気的に変化させて原子、さらにその物質を励起状態（振動）にし、その結果、水のクラスター（ｃｌｕｓｔｅｒ）の重合を切断・短縮させ、水の容積の縮小、比重の増加、動植物の細胞外膜への水（自由水）の十分な付着をもたらし、細胞内にＣａ２＋と共に水の浸透が亢進し、細胞の諸機能を賦活化させる作用がある。
これにより特に、毛髪の保湿量を向上させてみずみずしさ（潤い）を与えることができるし、毛髪をケアさせることができる。
【００１２】
このように、弾性条部材に多元素鉱物粉状体を含ませることで、マイナスイオン及び電磁波（微弱エネルギ−）の作用により、潤い（なめらかな感触）、指どおりの良さ、適度なまとまり感、光沢といった毛髪本来の質感を向上させると共に毛髪をケアさせることができる。
【００１３】
又、多元素鉱物粉状体に、遠赤外線放射材料を粉砕して形成した遠赤外線放射粉状体を混合させておくと（請求項２）、この遠赤外線放射粉状体から遠赤外線が放射され、毛髪や頭皮を内部から温めることができ、これにより、毛髪に対する薬液の浸透を促進させることができる。
【図面の簡単な説明】
【００１４】
【図１】本発明の第１実施例に係るヘアーアイロンを示す斜視図。
【図２】このヘアーアイロンの腕体を延在方向と直交する方向で切断した断面図。
【図３】ヘアーアイロンの他の実施例を示す腕体の断面図。
【図４】ヘアーアイロンの他の実施例を示す腕体の断面図。
【発明を実施するための形態】
【００１５】
図１に示す第１実施例のヘアーアイロンＨは、基端部が軸３により閉開可能に枢着された１対の腕体１，２を備え、この両腕体１，２の先端部に、この腕体１，２の閉開に伴って近接離反する毛髪挟持部材１０，２０がそれぞれ設けられている。
【００１６】
この毛髪挟持部材１０，２０としては、アルミ材、スチール材、ステンレス材、セラミック材等を用いることができるもので、実施例ではスチール材による板部材を用いている。
また、実施例のヘアーアイロンＨは、毛髪をストレートに延すために使用するストレート用ヘアーアイロンであり、このほか、髪にカール（ウエーブ）を付ける際に使用するカール用ヘアーアイロンに本発明の構成を適用できるのは勿論である。
【００１７】
図２に示すように、前記毛髪挟持部材１０，２０の裏面には加熱手段としてのヒータ１１，２１が取り付けられ、また、この毛髪挟持部材１０，２０の裏面側に支持部材１２，２２が取り付けられ、この支持部材１２，２２が前記腕体１，２の対向面側凹部１３，２３にゴム材（弾性体）１４，２４を介して弾性支持されている。
【００１８】
前記毛髪挟持部材１０，２０にはそれぞれ緩衝部材となる弾性条部材１５，２５が取り付けられている。
この場合、前記毛髪挟持部材１０，２０の毛髪挟持面１６，２６に腕体１，２の延在方向に延長して溝部１７，２７が形成され、この溝部１７，２７にシリコンチューブによる弾性条部材１５，２５が、その上面を毛髪挟持面１６，２６から突出させる状態に、毛髪挟持部材１０，２０の全長に亘って延在するように嵌め込まれている。
【００１９】
前記弾性条部材１５，２５としては、シリコン、ラバー、ポリウレタン等の耐熱性弾性素材を中空のチューブ状に形成したもの、中実の棒状に形成したもの等を使用できる。
【００２０】
また、第１実施例では、一対の毛髪挟持部材１０，２０の両方にそれぞれ弾性条部材１５，２５を取り付けており、この場合、腕体１，２の閉鎖に伴って毛髪挟持部材１０，２０が近接したときに、両方の弾性条部材１５，２５同士が対向することがないように、一方の弾性条部材１５を毛髪挟持部材１０の左側縁部に沿って、他方の弾性条部材２５を毛髪挟持部材２０の右側縁部に沿って配設させている。
【００２１】
なお、弾性条部材１５，２５の取り付け態様としては、図３に示すように一対の毛髪挟持部材１０，２０のうち何れか一方の毛髪挟持部材１０にのみ複数個または１個の弾性条部材１５を取り付ける態様がある。
また、図４に示すように一方の毛髪挟持部材１０に複数個の弾性条部材１５，１５を取り付け、他方の毛髪挟持部材２０に１個の弾性条部材２５を取り付ける態様がある。
また、図示省略したが、一方の毛髪挟持部材１０に取り付けた弾性条部材１５と一方の毛髪挟持部材２０に取り付けた弾性条部材２５とが腕体１，２の閉鎖に伴って対向するように取り付ける等、種々の態様がある。
要は、一対の毛髪挟持部材のうち、一方の毛髪挟持部材のみに１個又は複数個の弾性条部材が取り付けられ、又は両方の毛髪挟持部材にそれぞれ１個又は複数個の弾性条部材が取り付けられているものについては本発明に含まれるものである。
【００２２】
そして、前記弾性条部材１５，２５に、多元素鉱物を粉砕して形成した多元素鉱物粉状体と、遠赤外線放射材料を粉砕して形成した遠赤外線放射粉状体を含有させるものである。
【００２３】
多元素鉱物とは、例えば、真珠岩や松脂岩、それにトルマリン（電気石）のように珪素を主成分とし、多数の元素がバランスよく含まれている鉱物をいい、この多元素鉱物はマイナスイオンを出すことが知られている。
【００２４】
そして、弾性条部材１５，２５の原料中に多元素鉱物粉状体を混合させるには、例えば、多元素鉱物をボールミルやジェットミル等で約１〜３ミクロンに粉砕して粉状体に形成し、これを０．５〜１０％の比率で弾性条部材１５，２５の原料中（例えば、シリコンラバー）に混合し、成形するようにしている。
【００２５】
この場合、多元素鉱物粉状体は２種類以上を適宜に配合して使用することが好ましいが、１種類であってもよい。
又、多元素鉱物粉状体を水と混合し、加熱又は加圧したのち得た上澄み液を混合させてもよいし、真空凍結乾燥や噴霧乾燥により粉末にしたものを混合させてもよい。
【００２６】
多元素鉱物の例である真珠岩の成分を以下の表１に示す。
【００２７】
【表１】
2010233830.tif 000003
尚、この表１において、ｉｇ・ｌｏｓｓは、カオリンの化粧品基準、強熱減量（５００℃、恒温）に準じる。
【００２８】
遠赤外線放射材料としては、アルミナ（Ａｌ２Ｏ３）、チタニア（ＴｉＯ２）、フェライト（Ｆｅ２Ｏ３)、酸化クロム（Ｃｒ２Ｏ３)、シリカ（ＳｉＯ２）、イットリア（Ｙ２Ｏ３）、マグネシア（ＭｇＯ）等があり、これらを粉砕して粉状体にしたものを、単独或いは組み合わせて使用することができる。
【００２９】
なお、本発明のヘアーアイロンを使用して毛髪にアイロンを施術したときの試験結果を以下に示す。
【００３０】
＜試験施設＞
幸栄化学産業株式会社（大阪市北区菅原町2−15  酉島第5ビル）  試験技術センター
＜試験内容＞
イ）指どおりの良さと毛束単位での適度なまとまり感（触感）や潤いを検証するための毛髪水分率の測定。
＜試験対象品＞
Ａ：施術をしていない通常の毛髪（ブランク）。
Ｂ：多元素鉱物粉状体及び遠赤外線放射粉状体を混合させていない弾性条部材を備えたヘアーアイロンで施術をした毛髪（イオン化していないもの）。
Ｃ：多元素鉱物粉状体及び遠赤外線放射粉状体を混合させた弾性条部材を備えたヘアーアイロン（イオン化したもの：本発明品）で施術をした毛髪。
＜使用した毛髪＞
２７歳、日本人女性
＜毛髪の処理＞
イ）４０℃のお湯で一時間つけ洗いの後、自然乾燥する（お湯は１５分毎に交換）。
ロ）乾燥後、以下の使用条件でヘアーアイロンを使用する。
＜ヘアーアイロンの使用条件＞
１）温度：１８０℃。
２）スライド速度：２０ｃｍの毛髪に対して４秒かけて、根元側から毛先側に向けてスライドさせる。
３）アイロン使用時の毛髪にかかる圧力：７０．０±２ＨＰＡ
＜水分率の算出＞
イ）２０℃±１℃、３０±２％ＲＨの環境下で２４時間放置する。
ロ）２０℃±１℃、６５±２％ＲＨの環境下に移し、２４時間放置する。
ハ）その後、１０５℃で絶乾後の重量を測定し、水分率を算出する。
【００３１】
上記のようにして測定した毛髪水分率の測定結果を以下の表２に示す。
【００３２】
【表２】
2010233830.tif 000004
【００３３】
上記表２の試験結果で判るように、試験対象品Ｃの水分率は、試験対象品Ａ、Ｂに比べて０．２〜０．３％高いことが判る。
毛髪の水分率について、０．２〜０．３％高いということは、毛髪があたかも濡れたような様を呈し、その保湿量が著しく向上したものと言えるものである。
【００３４】
本発明のヘアーアイロンＨは、毛髪挟持部材１０，２０をヒータ１１，２１によって加熱させ、この加熱状態の毛髪挟持部材１０，２０により毛髪を挟持させてスライドさせながらストレートに延したり、カールを付けたりさせる。
この際、多元素鉱物から発生するマイナスイオン及び電磁波（微弱エネルギ−）による効果と、遠赤外線放射粉状体から放射される遠赤外線による効果によって、潤い（なめらかな感触）、指どおりの良さ、適度なまとまり感、光沢といった毛髪本来の質感を向上させると共に毛髪をケアさせることができる。
【符号の説明】
【００３５】
１  腕体
１０  毛髪挟持部材
１１  ヒータ
１２  支持部材
１３  対向面側凹部
１４  ゴム材
１５  弾性条部材
１６  毛髪挟持面
１７  溝部
２  腕体
２０  毛髪挟持部材
２１  ヒータ
２２  支持部材
２３  対向面側凹部
２４  ゴム材
２５  弾性条部材
２６  毛髪挟持面
２７  溝部
３  軸
Ｈ  ヘアーアイロン
【図１】
2010233830.tif 000005
【図２】
2010233830.tif 000006
【図３】
2010233830.tif 000007
【図４】
2010233830.tif 000008